(57)【要約】【課題】携行することができるマスク用殺菌器を提供すること。【解決手段】ヒンジで連結された一対の有縁平皿状の外装部材を有し、開放端は係止可能な開閉構造のケース１と、それぞれ前記外装部材に取り付けられ、中央にマスクの収納空間を有する一対の断熱体２と、前記断熱体に設けられ前記収納空間を加熱する発熱体３と、をそなえたマスク殺菌器。【選択図】図１
0003141357.tif 000002
【実用新案登録請求の範囲】
【請求項１】
ヒンジで連結された一対の有縁平皿状の外装部材を有し、開放端が係止可能な開閉構造のケースと、
それぞれ前記外装部材に取り付けられ、中央にマスクの収納空間を有する一対の断熱体と、
前記断熱体に設けられ前記収納空間を加熱する発熱体と、
をそなえたマスク殺菌器。
【請求項２】
請求項１記載のマスク殺菌器において、
前記発熱体は、電気ヒータであるマスク殺菌器。
【請求項３】
請求項２記載のマスク殺菌器において、
前記電気ヒータに給電する電池を収容する空間をそなえたマスク殺菌器。
【請求項４】
請求項１記載のマスク殺菌器において、
前記発熱体は、交換可能な自己発熱体であるマスク殺菌器。
【請求項５】
請求項4記載のマスク殺菌器において、
前記自己発熱体は、化学的発熱体であるマスク殺菌器。
【請求項６】
請求項１記載のマスク殺菌器において、
前記発熱体の前記収納空間に対向する面に、導熱板が設けられたマスク殺菌器。
【考案の詳細な説明】
【技術分野】
【０００１】
本考案は、人の口鼻部に装着するマスクを殺菌するための殺菌器に係わり、とくに携行して使用できるものに関する。
【背景技術】
【０００２】
近年、世界的に拡がりを見せる鳥インフルエンザなどの空気中に浮遊する菌、ウィルスによる伝染性の病気を予防するには、吸気に含まれる菌、ウィルスを除去する意味でマスクの着用が有効と認識されている（特許文献１参照）。
【０００３】
マスクは、一旦着用したらその後は廃棄するか、再利用するのであれば殺菌することが望ましい。また、使用済みのマスクは廃棄するよりは、できれば再利用することが望ましい。
【特許文献１】特開2007-267811号公報
【考案の開示】
【考案が解決しようとする課題】
【０００４】
しかしながら、マスクを殺菌するための適当な機器が存在しないのと、例えば外出が長時間にわたる場合は殺菌する機会がないことから、適度に使用してから廃棄するか、あるいは長時間にわたり使用し続けることになる。
【０００５】
本考案は上述の点を考慮してなされたもので、携行することができるマスク用殺菌器を提供することを目的とする。
【課題を解決するための手段】
【０００６】
上記目的達成のため、本考案では、
ヒンジで連結された一対の有縁平皿状の外装部材を有し、開放端が係止可能な開閉構造のケースと、
それぞれ前記外装部材に取り付けられ、中央にマスクの収納空間を有する一対の断熱体と、
前記断熱体に設けられ前記収納空間を加熱する発熱体と、
をそなえたマスク殺菌器、
を提供するものである。
【考案の効果】
【０００７】
本考案は上述のように、ケースに発熱体を内蔵し、マスクを収容して加熱殺菌するようにしたため、携行して適時に簡便にマスクを殺菌することができる。
【考案を実施するための最良の形態】
【０００８】
以下、添付図面を参照して本考案の実施の形態を説明する。
【実施例１】
【０００９】
図１は、本考案の実施例１の内部構造を示した断面図である。この実施例１は、一対のほぼ有縁平皿状の外装部材が腹合わせに組み合わされて構成されるケース１内に、断熱材２を介して発熱体３が設置され、発熱体３の断熱体２とは反対側には、たとえば金属製の導熱板４が配されている。
【００１０】
これにより、ケース１を開くと、導熱板４，４が露出し、一方の導熱板４上にマスクＭを載置してケース１を閉じると、図示のように、マスクＭが２枚の導熱板４，４間に挟まれた状態となる。そして、発熱体３の発する熱が導熱板４，４を介して効率的にマスクＭに与えられ、マスクＭが加熱殺菌される。
【００１１】
鳥インフルエンザ・ウィルスの場合、仮に６０℃では１０分の加熱によりほぼ完全に不活化することが知られている（温度を変えれば時間も変わる。）。そこで、発熱体３としてマスクを不活化加熱することができるものを選ぶ。他の菌とかウィルスについては、より適当な温度、時間が選ばれることになる。
【００１２】
そのような発熱体３としては、電気ヒータおよび化学的発熱体がある。電気ヒータであれば、例えばチップ型回路を用い温度、加熱時間を自動制御して自動停止する回路を含めて自由に設計することができる反面、電源が必要である。また、化学的発熱体としては、鉄の酸化発熱を利用するもの、および生石灰の吸水発熱を利用するもの等が挙げられる。
【００１３】
電気ヒータの電源は、電源電圧を１２Ｖとすると、１回当り１００ｍＡ程度を３分間、２回／日の割合で通電するとして、単３乾電池を８本用いた１２Ｖ電源で２ヶ月強使用できる。電池は、ケース１内に適宜配置する。また、ＡＣアダプタであれば、ケース１に適当なコネクタを設ける。
【００１４】
化学的な発熱体は、鉄の場合は発熱作用に必要な空気（酸素）を、または生石灰の場合は水を与える手段を設ける必要があり、ケース１の構造をそれらに適したものとする。
【００１５】
図２は、ケース１の外観形状を示した斜視図である。ケース１は、下側部材１１と上側部材１２とを有し、これら両部材１１，１２はヒンジ１３で連結されており、係止部材１４により係止される。
【００１６】
マスクを殺菌するとき、または保管するとき、ケース１内に、マスク（図示せず）を収容して係止部材１４により下側部材１１と上側部材１２とを係止した状態とする。そして、発熱体３を発熱させる。
【００１７】
これにより、マスクを殺菌して清潔にし、かつそのまま保管することもできる。保管時は、とくに発熱体３による発熱を要しない。また、発熱体を用いて取出し時にマスクを温かくすることもできるので、冬期等の着用時に使用者に快適感を与えることができる。
【００１８】
図３(a),(b)および(c)は、図に示したケース１のより詳細な構造を示す蓋開放時説明図、縦断面図および側面図である。
【００１９】
図３(a)に示すように、ケース１は本体である下側部材１１と蓋である上側部材１２とがヒンジ１３で連結されていて係止部材１４ａ，１４ｂにより係止される。
【００２０】
そして、下側部材１１と上側部材１２との接合面の接合度合いを高めるために、下側部材１１には溝１４ｄを、上側部材１２には突起１４ｃを設けて密封性を高めた構造としている。
【００２１】
一方、電気回路関連で、下側部材１１および上側部材１２のヒンジ１３の設けられている周辺に、スイッチ操作棒２１およびスイッチ２２が設けられており、回路基板２３により構成された回路と電源である電池２４とのオン、オフを行う。また、電池２４の収納部近傍にＡＣアダプタ端子２５が設けられている。
【図面の簡単な説明】
【００２２】
【図１】本考案の一実施例の構成を示す断面図。
【図２】図１に示した実施例のケース外観を示す斜視図。
【図３】図２に概観を示したケースの内部構造を示す蓋開放時説明図（図３(a)）、縦断面図（図３(b)）および側面図（図３(c)）。
【符号の説明】
【００２３】
１  ケース、２  断熱材、３  発熱体、４  金属板、１１  下側部材、
１２  上側部材、１３  ヒンジ、１４  係止部材、２１  スイッチ操作棒、
２２  スイッチ、２３  回路基板、２４  電池、２５  ＡＣアダプタ端子。
【図１】
0003141357.tif 000003
【図２】
0003141357.tif 000004
【図３】
0003141357.tif 000005